(57)【特許請求の範囲】
【請求項１】
メガネフレームの左右にそれぞれ１つのテンプル（１）を有し、前記テンプル側の末端部が組み合わされた場合に、前記テンプル（１）の方向を向く結合要素（８）を左右にそれぞれ１つ有するリム（７）を有する前記メガネフレームにおいて、
前記結合要素（８）上に、ジョイント要素（１１、１３）が配置され、前記リム側の前記テンプルの末端部上に配置されたジョイント要素（６）と協働して、スイベルジョイントを形成し、
前記テンプル（１）が、前記テンプル（１）の縦方向における前記リム側の末端部上に、前記テンプルの長手方向において並行に配置された少なくとも２つのフィンガ（２，３）を備え、
該フィンガ（２，３）が、実質的にジョイント軸の方向にバネ弾性を有するように設計され、
該バネ弾性が、最適な方法で、前記テンプル（１）の前記ジョイント要素（６）を保持して枢動可能に接続する、前記メガネフレームであって、
前記テンプルの前記フィンガ（２、３）が、板バネから構成され、
前記テンプルが組み合わされたとき、前記それぞれのテンプル（１）の該板バネの板バネ表面が、前記結合要素（８）と同一平面上に配置されており、
前記フィンガが、３つの板バネ（２、３、４）から構成され、前記板バネのうち外側板バネ（２，３）が、前記ジョイント要素（６）を備え、
前記テンプル（１）が組み込まれるとき、前記結合要素（８）が、それぞれのテンプル（１）の前記３つの板バネの中央板バネ（４）に対する前記結合要素（８）の隣接部（１２）を形成するように設計され、
前記中央板バネ（４）は、展開されているときには、前記リム（７）から離れるように向きを変えて、前記隣接部（１２）の表面と接触状態にされ、折り畳まれているときには、逆バネのメカニズムを形成するように、前記隣接部（１２）上に担持されることを特徴とする、メガネフレーム。
【請求項２】
前記弾性が、一方のフィンガ（２又は３）によって加えられる前記バネ張力が他方のフィンガ（３又は２）の方向に働くことから構成される、請求項１に記載のメガネフレーム。
【請求項３】
前記結合要素（８）が、その全長にわたって上側バー（９）及び下側バー（１０）に分割される、請求項２に記載のメガネフレーム。
【請求項４】
前記結合要素（８）が、前記リム（７）からレンズまで分割され、
それらが、前記リム（７）に受け入れられる、請求項３に記載のメガネフレーム。
【請求項５】
前記テンプル（１）の前記ジョイント要素が、前記フィンガ（２、３）に取り付けられたループ（６）であり、
前記ループ（６）の開口部が、前記テンプル（１）の表面に対して略垂直とされ、
前記結合要素（８）の前記ジョイント要素が、前記ループ（６）と係合する枢動ピン（１１）である、請求項１から４の一項に記載のメガネフレーム。
【請求項６】
前記テンプル（１）の前記ジョイント要素が、前記フィンガに取り付けられたベアリングシェルであり、
前記結合要素（８）の前記ジョイント要素が、前記ベアリングシェル中に担持されるベアリングピン（１３）である、請求項１から４の一項に記載のメガネフレーム。
【請求項７】
前記テンプル（１）が組み込まれるとき、前記結合要素（８）が、それぞれのテンプル（１）の前記３つの板バネの中央板バネ（４）に対する前記結合要素（８）の隣接部（１２）を形成するように設計される、請求項１〜６のいずれか一項に記載のメガネフレーム。
【請求項８】
前記テンプル（１）の前記板バネ（２、３、４）の長さと前記隣接部（１２）の長さが、前記弾性が接続を達成させるような長さであり、
その接続では、前記テンプル（１）及び前記結合要素（１）の前記ジョイント要素（６）が、最適的であり、さらに前記テンプル（１）の前記中央板バネ（４）の前記板バネの弾性が、前記テンプル（１）をその組合せ状態で保持するのに十分である、請求項７に記載のメガネフレーム。
【請求項９】
前記テンプル（１）の前記板バネ（２、３、４）の長さと前記隣接部（１２）の長さが、前記弾性が前記結合要素（８）の前記２つのバー（９、１０）を一緒に保持するのに十分であり、さらに、前記テンプル（１）の前記中央板バネ（４）の前記板バネの弾性が、前記テンプル（１）をその組合せ状態に保持するのに十分であるような長さである、請求項７又は８に記載のメガネフレーム。
【請求項１０】
前記隣接部（１２）が、板バネ形状に設計される、請求項７から９の一項に記載のメガネフレーム。
【請求項１１】
前記テンプル（１）それぞれが組み込まれるとき、前記テンプル（１）の前記外側板バネ（２、３）が前記隣接部（１２）の外方において移動するように、前記隣接部（１２）が、組合せ状態で前記テンプル（１）の方向に、前記結合要素（８）の前記ジョイント要素（１１、１３）から延在しており、前記隣接部（１２）の幅が、前記ジョイント要素（１１，１３）の後方において狭まっている、請求項７から１０の一項に記載のメガネフレーム。
【請求項１２】
構成要素すべてが、金属シート及び／又はチタニウムから製作される、請求項１から１１の一項に記載のメガネフレーム。
【発明の詳細な説明】
【技術分野】
【０００１】
本発明は、メガネ又はメガネフレームそれぞれに、並びにそのようなメガネフレームのためのメガネのリム及びメガネのテンプルに関する。
【背景技術】
【０００２】
従来技術では、メガネフレームのための様々なタイプのジョイントメカニズムが知られている。最も通常のタイプは、蝶番メカニズムに基づくもので、そこでは、ピンが、フレーム、又はそれぞれレンズのリム上に配置され、そのピンは、テンプル側面のリム側にある末端部において配置されるそれぞれの蝶番と、両方の部品を交互に配置し、それらが枢動可能になるように専用ネジによってそれらを接続することによって協働する。大部分のメガネのリム、特に矯正メガネと共に使用されるリムでは、レンズを挿入する又は交換するためのリムの開閉が、いわゆる開閉ブロックによって実施される。レンズは、直接レンズ中にネジを取り付けることによって、フレームに直接取り付けることもできる。フレームなしのメガネでは、テンプルは、突出部分によって、レンズに直接ネジで取り付けられる。
【０００３】
スイベルジョイントは、メガネの寿命の間、大きい動的負荷を受けるので、いくつかの解決策では、従来のスイベルジョイントは、簡単化の理由では使用されない。
【０００４】
それゆえ、特許文献１に、テンプルがレンズを収容するリムのフロント部分と直接協働する、メガネが提案されている。従って、テンプルのリム側の末端部が、３つの板バネに分割され、中央板バネが、リム部分の外側縁部に隣接し、一方、２つの外側板バネが、中央ピース中の外側縁部に近接して配置される開口部と、その末端部に形成されたフックによって係合される。特許文献１に述べられたジョイントメカニズムの欠点は、例えばメガネが床に落ちたとき、ホルダから非常に容易にメガネのテンプルを緩めることができるように、メガネのテンプルが、極めて緩くリムに取り付けられているだけであるということである。
【０００５】
特許文献２には、３つの板バネを備えたメガネのテンプルをやはり使用する、メガネのジョイントについての他の解決策が提案されている。リム上に、それぞれ１つの結合要素が左右に設けられ、それは、ジョイント軸を形成する上側及び下側の凹所を有し、その軸は、その組み合わされた状態でテンプルの方向に対して垂直である。テンプルの組み合わされた状態では、テンプルの２つの外側の板バネが、その自由末端部上に設けられる湾曲形状によって、メガネの着用者の顔に直面する結合要素の表面から結合要素中の凹所と係合し、次いでメガネの着用者の顔に直面しない結合要素の表面に隣接し、一方、中央板バネは、その長さ全体で結合要素の対向する表面に隣接する。結合要素は、その中で２つのピースに分割される。そのようにして、レンズ交換が容易に可能になる。安定化のために、ツーピースの結合要素の上で押し付けることができる開閉クリップを使用することができる。しかし、このメカニズムは、結合要素の対向した表面上で外側の板バネ及び中央板バネを誘導する必要があり、この動作は、弾力に逆らって移動することによって達成する必要があり、末端部の湾曲形状によって妨害されるので、テンプルの挿入が困難であるという欠点がある。さらに、このジョイントの寸法が極めて小さい場合は特に、機械的負荷が低いケースでさえ、テンプルが結合要素から離れるというリスクがある。
【０００６】
特許文献３から、テンプルのリム側の末端部上にピンを設けることによって達成されるメガネのジョイントを有するメガネフレームが知られ、それは、リム上の結合要素の凹所と係合し、テンプルが回転させられたとき、結合要素のクリップがリム側の末端部に重なる。しかし、そのようなジョイントでは、機械的負荷が過大なケースで、テンプルを安全に保持する保証がない。
【０００７】
特許文献４に、メガネのテンプルのジョイント側末端部上にそれぞれ１つ取り付けられる２つのフィンガが、互いから離れてアーチ状にされ、湾曲末端部が、フレーム側の結合要素上に配置される開口部と回転可能に係合する、ジョイントメカニズムが開示されている。フィンガの湾曲末端部は、これら開口部中に堅固に保持され、これらのフィンガは、一定のバネ弾性力を上方及び下方に働かせる。しかし、そのようなジョイントメカニズムは、例えば特許文献２に記載の平らな金属メガネと同様の金属メガネに付随しない。
【特許文献１】米国特許出願第３１５５９８２号明細書
【特許文献２】欧州特許第０８６３４２４号明細書
【特許文献３】仏国特許公開第２７７９２４１号明細書
【特許文献４】国際公開第９８／１４８３１３号パンフレット
【発明の開示】
【発明が解決しようとする課題】
【０００８】
このベースに基づき、本発明の目的は、テンプルの容易な取付けを可能にし、メガネのテンプルが、メガネ、特に平らな金属メガネへの機械的圧力に負けないで緩むことが困難なメガネフレームを製造することである。
【課題を解決するための手段】
【０００９】
この目的は、請求項１の特性を有するメガネフレーム、請求項１７又は１８によるメガネのリム及び請求項１９又は２０によるテンプルによって、並びに請求項２１の特性を有する、そのようなメガネのテンプルの組立方法によって達成される。
【００１０】
本発明の有利な実施形態は、従属項に見ることができる。
【００１１】
従って、本発明の最も重要な点は、メガネフレームのテンプルが、リム側へ向かうその末端部上にその縦方向で、少なくとも２つのフィンガを有し、そのフィンガは、リムの結合要素のジョイント要素によって形成される回転ジョイントのジョイント軸の方向で基本的に、メガネのテンプルのジョイント要素と協働することによって、バネ作用を働かすように構成され、並びに、これらのフィンガは、テンプル及び結合要素のジョイント要素を保持して回転可能に堅固に接続し、さらに、これらのフィンガは、同時に板バネとして構成され、その板バネ表面は、テンプルが組み合わされていないとき、テンプルに属する結合要素の平面上を基本的に動き、その結合要素は、ほぼ板バネ形状でもあるということである。
【００１２】
メガネフレームの一実施形態では、少なくとも一方のフィンガが発揮するバネ力が他方のフィンガへの方向で有効であるように、フィンガが構成される。
【００１３】
そのような構造は、メガネフレームの有利な設計で特に使用され、そこでは、結合要素が、その長さ全体にわたって上側バー及び下側バーに分割される。結合要素の分割は、リムからメガネのレンズまでずっと伸びる。これによって、メガネのレンズ交換が容易になる。というのは、テンプルが取り外された状態で、リムのサイドが分かれてそれを容易にアーチ状にすることができ、レンズへのアクセスが可能になるからである。
【００１４】
テンプルが取り付けられた状態で、フィンガのバネ力によって、最終的にバーを互いに対して緊張させることが可能になり、メガネのレンズがリムの対応する区域で堅固に固定される。
【００１５】
この設計では、テンプルは、フィンガ上にループ形状のジョイント要素を有し、一方対応する枢動ピンが、結合要素上に設けられる。ループは、テンプルの面又は表面に対して実質的に垂直に延在する。テンプルを取り付けた状態では、従って、結合要素の枢動ピンが、フィンガのループ中に堅固に捉えられ、従ってフィンガのバネ作用によって、ループが、枢動ピン上に絶えず回転可能に保持される。
【００１６】
他の実施形態では、結合要素の枢動ピンは、フィンガの対応する凹形ベアリングブッシュ中に回転可能に挿入されるように構成され、そのブッシュは、互いに対向して位置し、またこのケースではまた、フィンガのバネ弾性が確保され、従ってベアリングブッシュは、結合要素の枢動ピンによって、絶えず保持され回転可能な接触状態にされる。
【００１７】
結合要素からテンプルを取り外し、メガネのレンズ交換のためにリムへアクセスできるようにするために、簡単な方法でフィンガを、そのバネ動作に逆らって引き離すことができる。
【００１８】
メガネフレームの他の実施形態では、フィンガは、少なくとも一方のフィンガが発揮するバネ力が、逆方向に、すなわち他方のフィンガから離れる方向に働くように構築される。
【００１９】
次いで、対応する方法で、フィンガから上方及び下方に突出する枢動ピンがその中で係合する、ループが結合要素上に形成される。ループの開口部が、結合要素の面又は表面に実質的に垂直に延在する。バネ弾性によって、ループから枢動ピンがどのようにも外れないように防止され、一方簡単な回転ジョイントが形成される。テンプルを取り外すためには、テンプルのフィンガを一緒にそのバネ力に逆らって押すだけで十分である。
【００２０】
板バネのように構成されたフィンガに加えて、他の実施形態では、第３の中央板バネが、これら２つの間に設けられ、板バネすべてが互いに平行に延伸している。
【００２１】
簡単な方法によって１回のステップで、板バネ及びループを共に有して、平らな未加工素材からテンプルを打ち抜き成形することができる。その後、ループは、テンプルの面に実質的に垂直に延在するように、曲げることができる。
【００２２】
３つの板バネの最も外側が、ループ又は枢動ピンの実施形態に依存して、ジョイント要素を形成し、一方、中央板バネが、逆バネのメカニズムを形成するように働き、それは、テンプルの展開又は組合せを助ける。
【００２３】
この目的で、中央板バネは、テンプルに向かう方向に延在し、そのようにして隣接部を形成する結合要素の区域上で自立する。
【００２４】
本発明によれば、そのようにして、一方では、バネ弾性が、テンプル及び結合要素のジョイント要素を堅固に接続させるのを達成するのに十分であり、他方では、テンプルの中央板バネのバネ弾性が、展開された位置でテンプルを保持するのに十分であるように、板バネの長さ及び隣接部の長さを選択できることが保証される。さらに、結合要素の２つのバーを有する実施形態では、さらにバネ弾性が、結合要素の両方のバーを堅固に結合するのを達成するのに十分であるように、それぞれの構成要素の長さが選択される。
【００２５】
メガネフレームの一実施形態における板バネ形状の隣接部が、結合要素のジョイント要素からテンプルに向かう方向に延在する場合には、これにより、それは、外側板バネが組合せ中、隣接部の上を外側で動くことができるように構成される。
【００２６】
さらに安定化するために、本発明によれば、テンプルに付属する結合要素によってテンプルを前方に移動する前に、摺動させることができ、それによって曲がらないように堅固にバーを一緒に固定するスリーブを設けることも可能である。
【００２７】
本発明によるメガネフレームの構成要素すべては、好ましい実施形態では、金属シートから製作される打ち抜き成形部品又は組立式部品として製造することができ、次いでそれらは、所望の囲い込む形状に曲げられる。個々の要素のための材料としてチタニウムを用いることも可能である。
【発明を実施するための最良の形態】
【００２８】
ここで、本発明は、添付する図面に示す実施形態を参照して、より詳しく述べる。
【００２９】
図１に、例示する形で、特許文献２に述べられたテンプルなど現状技術によるテンプル１を示す。テンプル１は、３つの板バネ２、３、及び４に、すなわち２つの外側板バネ２及び３、及び中央板バネ４に分割される。外側板バネ２及び３は、それらの末端部上に湾曲部５を有し、それは、リムの結合要素の対応する凹所（ここでは、それ以上示していない）と係合する。上記で述べたように、ここでは中央板バネ４及び外側板バネ２及び３は、メガネフレームの結合要素の反対側に位置し、それは、テンプルの容易な縁取りを妨げる。
【００３０】
図２ａ及び２ｂは、本発明によるメガネフレームのためのテンプル１を描写した概略図である。
【００３１】
テンプル１は、２つの外側板バネ２及び３、並びに中央板バネ４も有する。外側板バネ２及び３はそれぞれ、それらの末端部上にループ６を有する。
【００３２】
図２ａに、この接続において、打ち抜き成形金属シート部品としてのテンプル１の形状を示し、一方図２ｂに、ループ６が、回転ジョイントの軸を画定するために、テンプル１の縦方向に垂直にアーチ状に曲げられている。
【００３３】
図２ｂに示したメガネのテンプルは、図１に示したメガネのテンプルと比べて、テンプルの縦方向に対して垂直に２つの外側板バネを引き離すことをより容易にするために、板バネを分割するより長いスリットを有している。
【００３４】
図３に、リム７から分離されたテンプルを示す。
【００３５】
リム７は、両側に結合要素８を有し、それは、テンプルの長さに比べて、比較的短く、テンプル１に向かう方向に延在し、上側バー９及び下側バー１０に分割される。
【００３６】
図３から分かるように、結合要素の分割は、ここには示していないメガネのレンズに及ぶ範囲までリム７のフロント部中に伸びている。テンプル１を取り外した場合、リム７は、メガネのレンズを挿入又は交換するために、バー９及び１０が互いから離れてアーチ状になるように、横に容易に開くことができる。
【００３７】
結合要素８のバー９及び１０上に、枢動ピン１１が配置され、回転軸を形成しながら互いに重なり、それらのピンは、図４ａ及び４ｂに示すように、テンプル１の外側板バネ２及び３のループ６と取付け位置で係合し、そのようにして簡単な回転ジョイントを形成する。
【００３８】
図３から分かるように、テンプル１は、簡単な方法で、外側板バネ２及び３が引き離されることによって結合要素８上に固定され、枢動ピン１１の上で摺動する。互いへ向けられた外側板バネ２及び３のバネ作用によって、ループ６が、スナップ式で堅固に固定され、なお枢動ピン１１の上で回転可能であり、さらに上側バー９及び下側バー１０が、曲がらないように一緒に堅固に固定される。
【００３９】
結合要素８は、板バネ形状の隣接部を有し、それは、枢動ピン１１からテンプル１に向かう方向に延在する。
【００４０】
図４ａから分かるように、中央板バネ４は、展開された位置では、メガネの着用者から離れるように向きを変えて、隣接部１２の表面と接触状態にされる。組合せ時、図４ｂに示すように、中央板バネ４は、逆バネのメカニズムを形成するように、隣接部１２上で担持される。ここでは、隣接部１２は、テンプル１が組み合わされるとき、外側板バネ２及び３が、隣接部１２の上で妨げられることなく動くことができるように、形作られる。
【００４１】
図５に、概略的な形で、結合要素８の代替実施形態を示す。この図に、球状の枢動ピン１３が示してあり、それは、外側板バネのベアリングブッシュ（ここでは、より詳しくは示していない）中に回転可能に受け入れることができる。
【図面の簡単な説明】
【００４２】
【図１】従来技術によるメガネフレームのためのテンプルの斜視図である。
【図２ａ】ループが嵌め合うように形作られた、本発明によるメガネフレームのための非成形テンプルの斜視図である。
【図２ｂ】曲げられたループを有する、本発明によるメガネフレームのための成形されたテンプルの斜視図である。
【図３】本発明によるメガネフレームの半分を示す斜視分解組立図である。
【図４ａ】テンプルが展開された位置にある、本発明によるメガネフレームのテンプル及びリムの概略図である。
【図４ｂ】テンプルが組み合わされた位置にある、本発明によるメガネフレームのテンプル及びリムの概略図である。
【図５】代替のジョイント要素を有する結合要素を示す図である。
【符号の説明】
【００４３】
１  テンプル、サイドピース
２  外側板バネ、上側フィンガ
３  外側板バネ、下側フィンガ
４  中央板バネ
５  湾曲部
６  関節要素、ループ、ジョイント要素
７  フレーム、リム
８  結合要素
９  上側バー
１０  下側バー
１１  関節要素、ジョイント要素、枢動ピン
１２  隣接部
１３  関節要素、ジョイント要素、枢動ピン、ベアリングピン
【図１】
0004727657.tif 000002
【図２ａ】
0004727657.tif 000003
【図２ｂ】
0004727657.tif 000004
【図３】
0004727657.tif 000005
【図４ａ】
0004727657.tif 000006
【図４ｂ】
0004727657.tif 000007
【図５】
0004727657.tif 000008